(57)【特許請求の範囲】
【請求項１】
中央監視装置が空気調和装置の複数の室外機を制御可能とする空気調和システムにおいて、
上記中央監視装置とパラレル通信配線で接続され、複数の上記室外機と一のシリアル通信配線で接続され、上記中央監視装置と複数の上記室外機との間に、通信形態を変更する中継装置が配置され、
この中継装置は、複数の上記室外機に対応した複数の入力ポートを備えると共に、前記複数の入力ポートにおいて、単一の上記入力ポートの有効と、全ての上記入力ポートの有効と、を切り換える切換スイッチを有し、
上記中央監視装置が複数の上記室外機を一括制御する場合には、上記単一の上記入力ポートのみが有効となるように上記切換スイッチを操作して、上記中央監視装置から上記有効な入力ポートを経て受信したパラレル信号の制御信号に基づいて、複数の上記室外機へ、上記複数の室外機に対応するアドレスを付加したシリアル信号である同一の制御信号を前記シリアル通信配線を介して送信するよう構成されたことを特徴とする空気調和システム。
【請求項２】
上記中継装置は、中央監視装置から受信した制御信号に複数の室外機が個別に有するアドレスを全て付加して、これら全ての室外機へ上記制御信号を送信するよう構成されたことを特徴とする請求項1に記載の空気調和システム。
【請求項３】
上記中央監視装置が複数の上記室外機を個別に制御する場合には、中継装置の全ての入力ポートが有効となるように切換スイッチを操作して、制御されるべき上記室外機に対応した上記入力ポートを経て、上記中央監視装置から当該室外機へ制御信号を送信するよう構成されたことを特徴とする請求項1に記載の空気調和システム。
【発明の詳細な説明】
【０００１】
【発明の属する技術分野】
本発明は、空気調和装置の複数の室外機を中央監視装置が制御する空気調和システムに関する。
【０００２】
【従来の技術】
図３及び図４に示すように、空気調和システム１００（図３）、空気調和システムの１２０（図４）は、中央監視装置１０１が中継基板１０５を介して室外機１０２を、中継基板１０６を介して室外機１０３を、中継基板１０７を介して室外機１０４をそれぞれ遠隔操作するものである。上記中継基板１０５、１０６、１０７は通信形態を変更するものであり、それぞれが室外機１０２、１０３、１０４に対応して１台ずつ設置されている。
【０００３】
空気調和システム１００は、中央監視装置１０１が室外機１０２、１０３、１０４を個別に制御するものであり、中央監視装置１０１は室外機１０２、１０３、１０４とそれぞれ通信配線１０８、１０９、１１０を介して接続されている。
【０００４】
中央監視装置１０１が室外機１０２、１０３及び１０４を一括制御すべく、これらの室外機１０２、１０３及び１０４へ同一の制御信号を送信する場合に限られるときには、空気調和システム１００のように、室外機１０２、１０３及び１０４の全てが中央監視装置１０１に個別に接続される必要はない。
【０００５】
空気調和システム１２０は、上述のような配線の無駄を省くものであり、中央監視装置１０１が室外機１０２に対応した中継基板１０５のみに通信配線１１１によって接続され、中継基板１０５、１０６及び１０７が渡り配線１１２及び１１３によって接続されたものである。中央監視装置１０１からの同一の制御信号は、通信配線１１１を経て室外機１０２へ、渡り配線１１２を経て室外機１０３へ、渡り配線１１２及び１１３を経て室外機１０４へそれぞれ送信されて、これらの室外機１０２、１０３及び１０４が一括制御される。
【０００６】
【発明が解決しようとする課題】
ところが、例えば室外機の数が増加した場合には、それに応じて渡り配線１１２及び１１３の数も増加してしまい、コストが上昇してしまう。
【０００７】
本発明の目的は、上述の事情を考慮してなされたものであり、省配線化を実現してコストを低減できる空気調和システムを提供することにある。
【０００８】
【課題を解決するための手段】
請求項１記載の発明は、中央監視装置が空気調和装置の複数の室外機を制御可能とする空気調和システムにおいて、上記中央監視装置とパラレル通信配線で接続され、複数の上記室外機と一のシリアル通信配線で接続され、上記中央監視装置と複数の上記室外機との間に、通信形態を変更する中継装置が配置され、この中継装置は、複数の上記室外機に対応した複数の入力ポートを備えると共に、前記複数の入力ポートにおいて、単一の上記入力ポートの有効と、全ての上記入力ポートの有効と、を切り換える切換スイッチを有し、上記中央監視装置が複数の上記室外機を一括制御する場合には、上記単一の上記入力ポートのみが有効となるように上記切換スイッチを操作して、上記中央監視装置から上記有効な入力ポートを経て受信したパラレル信号の制御信号に基づいて、複数の上記室外機へ、上記複数の室外機に対応するアドレスを付加したシリアル信号である同一の制御信号を前記シリアル通信配線を介して送信するよう構成されたことを特徴とするものである。
【０００９】
請求項２に記載の発明は、請求項1に記載の発明において、上記中継装置は、中央監視装置から受信した制御信号に複数の室外機が個別に有するアドレスを全て付加して、これら全ての室外機へ上記制御信号を送信するよう構成されたことを特徴とするものである。
【００１０】
請求項３に記載の発明は、請求項1に記載の発明において、上記中央監視装置が複数の上記室外機を個別に制御する場合には、中継装置の全ての入力ポートが有効となるように切換スイッチを操作して、制御されるべき上記室外機に対応した上記入力ポートを経て、上記中央監視装置から当該室外機へ制御信号を送信するよう構成されたことを特徴とするものである。
【００１１】
請求項４に記載の発明は、請求項３に記載の発明において、上記中継装置は、中央監視装置から受信した制御信号に、この制御信号にて制御されるべき室外機のアドレスを付加して、制御されるべき上記室外機へ上記制御信号を送信するよう構成されたことを特徴とするものである。
【００１２】
【発明の実施の形態】
以下、本発明の実施の形態を、図面に基づき説明する。
【００１３】
図１は、本発明に係る空気調和システムの一実施の形態において、中央監視装置による室外機の一括制御の場合を示す系統図であり、図２は、図１の一実施の形態において、中央監視装置による室外機の個別制御の場合を示す系統図である。
【００１４】
これらの図１及び図２に示す空気調和システム１０及び２０は、空気調和装置１１の室外機１４、空気調和装置１２の室外機１５、及び空気調和装置１３の室外機１６を、中継装置１７を介して中央監視装置１８により遠隔制御するものである。
【００１５】
空気調和装置１１は、室外機１４に例えば１台の室内機１９が、図示しない冷媒配管にて接続されると共に、通信配線Ｃ１を用いて通信可能に構成される。また、空気調和装置１２は、室外機１５に例えば２台の室内機２１が、図示しない冷媒配管にて接続されると共に、通信配線Ｃ２を用いて通信可能に構成される。更に、空気調和装置１３は、室外機１６に例えば１台の室内機２２が、図示しない冷媒配管にて接続されると共に、通信配線Ｃ３を用いて通信可能に構成される。
【００１６】
上記中継装置１７は、室外機１４、１５及び１６と中央監視装置１８との間に配置され、室外機１４、１５及び１６とは通信配線Ｂを用いて接続され、中央監視装置１８とは、空気調和システム１０の場合に通信配線Ａを用いて接続され、空気調和システム２０の場合に通信配線Ａ１、Ａ２及びＡ３を用いて接続される。
【００１７】
中央監視装置１８と中継装置１７との間では、通信配線Ａ、Ａ１、Ａ２またはＡ３を用いて、パラレル信号によるパラレル通信が実行され、また、中継装置１７と室外機１４、１５、１６との間では、通信配線Ｂを用いて、シリアル信号によるシリアル通信が定期的に実行される。中継装置１７は、シリアル信号とパラレル信号との通信形態を変更するものである。つまり、中継装置１７は、中央監視装置１８から受信した制御信号の通信形態、つまりパラレル信号をシリアル信号に変更して室外機１４、１５、１６へ送信し、また、室外機１４、１５、１６から受信した状態信号の通信形態、つまりシリアル信号をパラレル信号に変更して中央監視装置１８へ送信する。
【００１８】
上記中継装置１７は、室外機１４、１５、１６に対応した数の入力ポート２３、２４及び２５を備え、空気調和システム２０では、入力ポート２３に通信配線Ａ１が、入力ポート２４に通信配線Ａ２が、入力ポート２５に通信配線Ａ３がそれぞれ接続される。また、空気調和システム１０では、入力ポート２３、２４、２５のうち、後述の如く有効となる単一の入力ポート（本実施の形態では入力ポート２３）に通信配線Ａが接続される。これらの入力ポート２３、２４、２５を経て、中央監視装置１８からの制御信号が中継装置１７に入力される。
【００１９】
更に、上記中継装置１７には切換スイッチ２６が設置される。この切換スイッチ２６は、ＯＮ操作されることによって、単一の入力ポートのみ（本実施の形態では入力ポート２３）を有効とし、他の入力ポート（本実施の形態では入力ポート２４及び２５）を無効とする。また、切換スイッチ２６は、をＯＦＦ操作されることによって、入力ポート２３、２４及び２５の全てを有効とするように切り換える。
【００２０】
空気調和システム１０のように、全ての室外機１４、１５及び１６へ同一の制御信号を中央監視装置１８から送信して、これらの室外機１４、１５及び１６を一括制御する場合には、切換スイッチ２６がＯＮ操作される。これにより、中央監視装置１８からの制御信号は、通信配線Ａを経て中継装置１７の入力ポート２３にて受信される。中継装置１７は、この受信した制御信号を、パラレル信号からシリアル信号に変換すると共に、室外機１４、１５、１６が個別に有するアドレスの全てを上記制御信号に付加して、通信配線Ｂを用い室外機１４、１５及び１６へ送信する。
【００２１】
上述のように、室外機１４、１５、１６を一括制御する制御信号としては、一括運転、一括停止、冷房温度固定の一括冷房、暖房温度固定の一括暖房、送風量固定の一括送風、室内機１９、２１、２２の容量を一定量に制限するデマンドなどである。このような制御信号によって、中央監視装置１８により全ての空気調和装置１１、１２及び１３が一括制御される。
【００２２】
また、空気調和システム２０のように、室外機１４、１５、１６を個別に制御する場合には、切換スイッチ２６がＯＦＦ操作される。これにより、中央監視装置１８は、制御すべき室外機１４、１５、１６にそれぞれ対応する入力ポート２３、２４、２５へ、これらのそれぞれに接続した通信配線Ａ１、Ａ２、Ａ３を用いて制御信号を送信する。
【００２３】
この空気調和システム２０における中継装置１７は、この受信した制御信号を、パラレル信号からシリアル信号に変換すると共に、制御されるべき室外機１４、１５、１６が有するアドレスを上記制御信号に付加して、この制御信号を、通信配線Ｂを用いて制御されるべき室外機１４、１５、１６へ送信する。制御されるべき室外機１４、１５、１６のみが、自己を示すアドレスが付加された制御信号を取り込んで、この制御されるべき室外機１４、１５、１６を備えた空気調和装置１１、１２、１３が中央監視装置１８により制御される。
【００２４】
更に、空気調和システム１０及び２０の中継装置１７は、室内機１４、１５、１６から状態信号を受信する図示しない複数の出力ポートを備える。これらの出力ポートは室外機１４、１５及び１６の数に対応して設けられている。室外機１４、１５、１６をそれぞれ有する空気調和装置１１、１２、１３の運転状態は、中継装置１７の対応する出力ポートにより中継装置１７に受信され、この中継装置１７内で通信形態が変更されて中央監視装置１８へ送信される。上述の状態信号としては、運転出力や警報出力などである。
【００２５】
従って、上記実施の形態によれば、次の効果を奏する。
【００２６】
中央監視装置１８と室外機１４、１５及び１６との間に配置されて通信形態を変更する中継装置１７は、複数の全ての入力ポート２３、２４及び２５の有効と、単一の入力ポート２３のみの有効とを切り換える切換スイッチ２６を有し、中央監視装置１８が室外機１４、１５及び１６へ同一の制御信号を送信して、これらの室外機１４、１５及び１６を一括制御する空気調和システム１０の場合には、入力ポート２３のみが有効となるように切換スイッチ２６が操作されて、中央監視装置１８からの制御信号が入力ポート２３を経て全ての室外機１４、１５及び１６へ送信される。中継装置１７の上述のような切換スイッチ２６の切換によって、室外機１４、１５及び１６へ中央監視装置１８から同一の制御信号を送信できるので、従来のような渡り配線１１２及び１１３（図４）が不要となり、省配線化を実現できるため、コスト低減できる。
【００２７】
以上、本発明を上記実施の形態に基づいて説明したが、本発明はこれに限定されるものではない。
【００２８】
【発明の効果】
請求項１乃至４に記載の発明に係る空気調和システムによれば、省配線化を実現してコスト低減できる。
【図面の簡単な説明】
【図１】本発明に係る空気調和システムの一実施の形態において、中央監視装置による室外機の一括制御の場合を示す系統図である。
【図２】図１の一実施の形態において、中央監視装置による室外機の個別制御の場合を示す系統図である。
【図３】空気調和システムの第１従来技術を示す系統図である。
【図４】空気調和システムの第２従来技術を示す系統図である。
【符号の説明】
１０  空気調和システム
１４、１５、１６  室外機
１７  中継装置
１８  中央監視装置
２３、２４、２５  入力ポート
２６  切換スイッチ
【図１】
0004107876.tif 000002
【図２】
0004107876.tif 000003
【図３】
0004107876.tif 000004
【図４】
0004107876.tif 000005